(57)【要約】【課題】フィルターの交換作業を容易に行うことができる業務用換気扇のフィルターカバーを提供すること。【解決手段】換気扇本体の周囲を囲むよう、換気扇本体に取り付けられる、枠状の取付金具２と、駆動モータ及びファンを前方から覆うよう、取付金具２に着脱自在に取り付けられる、ドーム状の枠金具３と、枠金具３を前方から覆うよう、枠金具３に着脱自在に取り付けられる、ドーム状のフィルター４と、前面に開口部５１を有する枠状のカバー本体５０からなり、カバー本体５０によって前方からフィルター４の周縁部４１を覆い且つ取付金具２を囲むよう、取付金具２に着脱自在に取り付けられる、外カバー５と、外カバー５の下部に取り付けられる、油受け６と、からなっていることを特徴として【選択図】図４
2007278574.tif 000002
【特許請求の範囲】
【請求項１】
ファンの駆動モータが、壁面に固定された換気扇本体から前方に突出した位置に設けられている、換気扇に、該換気扇を覆って着脱自在に取り付けられる、換気扇用フィルターカバーであって、
換気扇本体の周囲を囲むよう、換気扇本体に、又は、壁面及び換気扇本体に、着脱自在に取り付けられる、枠状の取付金具と、
駆動モータ及びファンを前方から覆うよう、取付金具に着脱自在に取り付けられる、ドーム状の枠金具と、
枠金具を前方から覆うよう、枠金具に着脱自在に取り付けられる、ドーム状のフィルターと、
前面に開口部を有する枠状のカバー本体からなり、カバー本体によって前方からフィルターの周縁部を覆い且つ取付金具を囲むよう、取付金具に着脱自在に取り付けられる、外カバーと、
外カバーの下部に着脱自在に取り付けられる、油受けと、からなっていることを特徴とする換気扇用フィルターカバー。
【請求項２】
取付金具が、上枠の内面に引掛部を有し、下枠の後縁に差込部を有しており、
引掛部は、換気扇本体の上部と壁面との間の隙間に挿入され、又は、壁面に固定されるようになっており、
差込部は、換気扇本体の下部と壁面との間の隙間に挿入されるようになっている、請求項１記載の換気扇用フィルターカバー。
【請求項３】
差込部が、取付金具の下枠の後縁との間に、及び、取付金具に取り付けられた外カバーの下面の後縁との間に、それぞれ隙間を有した状態で、外カバーの下部に取り付けられた油受けの中まで延びるよう、設けられている、請求項２記載の換気扇用フィルターカバー。
【請求項４】
外カバーの下面が、外カバーの下部に取り付けられた油受けに連通する貫通孔を有している、請求項１記載の換気扇用フィルターカバー。
【請求項５】
取付金具が、前方に突出しており且つ外側から加えられる力に抗する付勢力を有するバネ部材を、複数個所に有しており、
枠金具が、リング枠体と、ドームを構成する湾曲枠体と、からなっており、
枠金具は、リング枠体をバネ部材に外側から圧接するよう嵌めることにより、取付金具に取り付けられるようになっている、請求項１記載の換気扇用フィルターカバー。
【請求項６】
外カバーが、上面に貫通孔を有しており、
取付金具が、上枠に上向きの凸部を有しており、
外カバーは、上記貫通孔に上記凸部を嵌め込むことによって、取付金具に支持されるようになっている、請求項１記載の換気扇用フィルターカバー。
【請求項７】
油受けが、下部の後部が欠けた縦断面形状を有している、請求項１記載の換気扇用フィルターカバー。
【発明の詳細な説明】
【技術分野】
【０００１】
本発明は、ファンの駆動モータが、壁面に固定された換気扇本体から前方に突出した位置に設けられている、換気扇に、該換気扇を覆って着脱自在に取り付けられる、換気扇用フィルターカバー、に関するものである。
【背景技術】
【０００２】
ファンの駆動モータが、壁面に固定された換気扇本体から突出した位置に設けられている、換気扇は、一般には、業務用換気扇と呼ばれている。この業務用換気扇は、ファンや駆動モータを剥き出したままの状態で設けられることが多い。しかし、それでは、ファンや駆動モータに付着した油が、そのまま垂れ流されてしまう。そこで、ファン及び駆動モータへの油の付着を抑制するために、それらをフィルターで覆うことが、特許文献１、２に示すように、提案されている。
【特許文献１】特開平６−２１３１９４号公報
【特許文献２】特開平８−１３６０２４号公報
【発明の開示】
【発明が解決しようとする課題】
【０００３】
ところで、業務用換気扇は、油気が活発に発生する場所、例えばレストランの厨房などに、設けられるため、フィルターを取り付けている場合には、頻繁にフィルターを交換する必要がある。したがって、フィルターを備えた業務用換気扇においては、フィルターの交換作業を容易に行うことが望まれる。しかしながら、従来の業務用換気扇では、フィルターの交換作業が比較的面倒であった。
【０００４】
また、フィルターを取り付けたとしても、ファン、駆動モータ、及び換気扇本体等に油が付着するのを完全に防止することは不可能である。そこで、それらに付着した油を、垂れ流すことなく回収することが望まれる。しかしながら、従来の業務用換気扇では、未だ、油の垂れ流しが発生していた。
【０００５】
本発明は、フィルターの交換作業を容易に行うことができ、更には、油を垂れ流すことなく十分に回収することができる、業務用換気扇のフィルターカバーを提供することを目的とする。
【課題を解決するための手段】
【０００６】
請求項１記載の発明は、ファンの駆動モータが、壁面に固定された換気扇本体から前方に突出した位置に設けられている、換気扇に、該換気扇を覆って着脱自在に取り付けられる、換気扇用フィルターカバーであって、換気扇本体の周囲を囲むよう、換気扇本体に、又は、壁面及び換気扇本体に、着脱自在に取り付けられる、枠状の取付金具と、駆動モータ及びファンを前方から覆うよう、取付金具に着脱自在に取り付けられる、ドーム状の枠金具と、枠金具を前方から覆うよう、枠金具に着脱自在に取り付けられる、ドーム状のフィルターと、前面に開口部を有する枠状のカバー本体からなり、カバー本体によって前方からフィルターの周縁部を覆い且つ取付金具を囲むよう、取付金具に着脱自在に取り付けられる、外カバーと、外カバーの下部に着脱自在に取り付けられる、油受けと、からなっていることを特徴としている。
【０００７】
請求項２記載の発明は、請求項１記載の発明において、取付金具が、上枠の内面に引掛部を有し、下枠の後縁に差込部を有しており、引掛部は、換気扇本体の上部と壁面との間の隙間に挿入され、又は、壁面に固定されるようになっており、差込部は、換気扇本体の下部と壁面との間の隙間に挿入されるようになっているものである。
【０００８】
請求項３記載の発明は、請求項１記載の発明において、差込部が、取付金具の下枠の後縁との間に、及び、取付金具に取り付けられた外カバーの下面の後縁との間に、それぞれ隙間を有した状態で、外カバーの下部に取り付けられた油受けの中まで延びるよう、設けられているものである。
【０００９】
請求項４記載の発明は、請求項１記載の発明において、外カバーの下面が、外カバーの下部に取り付けられた油受けに連通する貫通孔を有しているものである。
【００１０】
請求項５記載の発明は、請求項１記載の発明において、取付金具が、前方に突出しており且つ外側から加えられる力に抗する付勢力を有するバネ部材を、複数個所に有しており、枠金具が、リング枠体と、ドームを構成する湾曲枠体と、からなっており、枠金具は、リング枠体をバネ部材に外側から圧接するよう嵌めることにより、取付金具に取り付けられるようになっているものである。
【００１１】
請求項６記載の発明は、請求項１記載の発明において、外カバーが、上面に貫通孔を有しており、取付金具が、上枠に上向きの凸部を有しており、外カバーは、上記貫通孔に上記凸部を嵌め込むことによって、取付金具に支持されるようになっているものである。
【００１２】
請求項７記載の発明は、請求項１記載の発明において、油受けが、下部の後部が欠けた縦断面形状を有しているものである。
【発明の効果】
【００１３】
請求項１記載の発明によれば、換気扇本体の周囲を囲むよう、取付金具を、換気扇本体に、又は、壁面及び換気扇本体に、取り付け、駆動モータ及びファンを前方から覆うよう、枠金具を、取付金具に取り付け、枠金具を前方から覆うよう、フィルターを、枠金具に取り付け、カバー本体によって前方からフィルターの周縁部を覆い且つ取付金具を囲むよう、外カバーを、取付金具に取り付け、油受けを、外カバーの下部に取り付けることによって、業務用換気扇に、フィルターを取り付けることができ、また、外カバーを取付金具から取り外すことによって、フィルターを枠金具から取り外すことができる。したがって、請求項１記載の発明によれば、フィルターの交換作業を容易に行うことができる。
【００１４】
請求項２記載の発明によれば、引掛部を、換気扇本体の上部と壁面との間の隙間に挿入し、又は、壁面に固定し、差込部を、換気扇本体の下部と壁面との間の隙間に挿入することによって、取付金具を換気扇本体に支持させることができ、また、その逆を行うことによって、取付金具を換気扇本体から自由にすることができる。したがって、請求項２記載の発明によれば、取付金具を換気扇に対して容易に着脱させることができる。
【００１５】
請求項３記載の発明においては、駆動モータ、ファン、及び換気扇本体等に付着して差込部まで垂れて来た油が、差込部に沿って、取付金具の下枠の後縁との間の隙間、及び、外カバーの下面の後縁との間の隙間を通って、油受けの中に、垂れ落ちることとなる。したがって、請求項３記載の発明によれば、駆動モータ、ファン、及び換気扇本体等に付着した油を、外部に垂れ流すことなく、効果的に回収することができる。
【００１６】
請求項４記載の発明においては、フィルター、駆動モータ、ファン、及び換気扇本体等に付着して外カバーの下面上に垂れ落ちた油が、貫通孔を通って、油受けの中に、垂れ落ちることとなる。したがって、請求項４記載の発明によれば、フィルター、駆動モータ、ファン、及び換気扇本体等に付着した油を、外部に垂れ流すことなく、効果的に回収することができる。
【００１７】
しかも、フィルターに付着した油は、フィルターに沿って垂れて行き、外カバーで覆われたフィルターの周縁部に至り、外カバー内にて垂れ落ちることとなる。したがって、フィルターに付着した油が外部に垂れ落ちるのを防止できる。
【００１８】
請求項５記載の発明によれば、リング枠体をバネ部材に外側から嵌めるだけで、枠金具を取付金具に取り付けることができ、また、バネ部材を内向きに押してリング枠体をバネ部材から外すだけで、枠金具を取付金具から取り外すことができる。したがって、請求項５記載の発明によれば、枠金具を取付金具に対して容易に着脱させることができる。
【００１９】
請求項６記載の発明によれば、外カバーの上面の貫通孔に、取付金具の上枠の凸部を嵌め込むことによって、外カバーを取付金具に支持させることができ、また、その逆を行うことによって、外カバーを取付金具から自由にすることができる。したがって、請求項６記載の発明によれば、外カバーを取付金具に対して容易に着脱させることができる。
【００２０】
請求項７記載の発明によれば、油受けの下部の前部に後方から手を掛けて油受けを外カバーに取り付けたり外カバーから取り外したりすることができるので、油受けを外カバーに対して容易に着脱させることができる。
【００２１】
また、例えば、換気扇がフード内の下部に位置し、フードの下縁が内側へ折り曲げられているような場合においては、その折り曲げ部を油受けの下部の欠けた後部によって回避することができる場合がある。したがって、請求項７記載の発明によれば、換気扇用フィルターカバーを取り付けることができる換気扇の存在できる場所の範囲を、拡大することができる。
【発明を実施するための最良の形態】
【００２２】
図１は本発明の換気扇用フィルターカバーが取り付けられる業務用換気扇の下方斜視図、図２は図１のII矢視図である。業務用換気扇９では、ファン（図示せず）の駆動モータ９１が、壁面に固定された換気扇本体９０からアーム９２によって前方に突出した位置に、設けられている。
【００２３】
図３は業務用換気扇９に取り付けられた状態の本発明の換気扇用フィルターカバーである。この換気扇用フィルターカバー１は、図４に分解して示すように、取付金具２、枠金具３、フィルター４、外カバー５、及び油受け６からなっている。図５は図３のフィルターカバー１からフィルター４を除いた状態を示す下方斜視図である。なお、図５では業務用換気扇９は省略している。図６は図５のVI矢視図である。
【００２４】
取付金具２は、換気扇本体９０の周囲を囲むよう、換気扇本体９０に着脱自在に取り付けられる、枠状の金具である。取付金具２は、換気扇本体９０の周囲を囲む、薄板からなる四角形の、枠体２１と、８個の板状のバネ部材２２と、２個の引掛部２３と、１個の差込部２４とで、構成されている。
【００２５】
引掛部２３は、図５のＡ部分の縦断面図である図７に示すように、内部材２３１と外部材２３２とからなっている。両部材２３１、２３２は、枠体２１の上枠２１１を挟んで上枠２１１に固定されている。内部材２３１は、上枠２１１の内面に沿う取付片２３１１と、下端にて前方に延びた当接片２３１２とを、有している。外部材２３２は、上枠２１１の外面に沿う取付片２３２１と、下方に延びた差込片２３２２とを、有している。外部材２３２の取付片２３２１は、上向きの凸部２３２３を有している。
【００２６】
差込部２４は、図５のＢ部分の縦断面図である図８に示すように、枠体２１の下枠２１２に沿って幅方向（Ｘ方向（図５））に延びた縦部材２４１と、縦部材２４１を下枠２１２の下面に固定する２個の取付部材２４２とを、有している。縦部材２４１は、上方に延びた後片２４１１と、後片２４１１から前方へカーブして下方に延びた前片２４１２と、からなっている。下枠２１２の後縁には、図９に示すように、幅方向に延びた切欠き２１２０が形成されている。縦部材２４１は、下枠２１２との間に隙間Ｂ１を保持した状態で、切欠き２１２０を通り抜けている。
【００２７】
そして、取付金具２は、まず、図７に示すように、引掛部２３の差込片２３２２を、換気扇本体９０の上部と壁面１００との間の隙間Ｘ１に、差し込むとともに、当接片２３１２を、換気扇本体９０の上面９０１に、当接させ、これにより、取付金具２の上部を換気扇本体９０によって支持し、その後、図８に示すように、差込部２４の後片２４１１を、換気扇本体９０の下部と壁面１００との間の隙間Ｘ２に、差し込み、これにより、取付金具２の下部を換気扇本体９０によって支持する。こうして、取付金具２は、換気扇本体９０に取り付けられる。
【００２８】
バネ部材２２は、枠体２１の各枠２１１、２１２、２１３、２１４に、２個ずつ均等に設けられている。バネ部材２２は、枠体２１から前方に突出して設けられており、外側から加えられる力に抗する付勢力を有している。
【００２９】
枠金具３は、駆動モータ及びファンを前方から覆うよう、取付金具２に着脱自在に取り付けられる、ドーム状の金具である。枠金具３は、リング枠体３１と、駆動モータ及びファンを前方から覆うドームを構成する４本の湾曲枠体３２と、からなっている。
【００３０】
そして、枠金具３は、図８に示すように、リング枠体３１をバネ部材２２に外側から圧接するよう嵌めることにより、取付金具２に取り付けられる。
【００３１】
フィルター４は、枠金具３のドームの形と同じドームの形となるよう、例えば不織布を縫製して構成されている。
【００３２】
そして、フィルター４は、前方から枠金具３を覆い、図１０に示すように、周縁４１１を、リング枠体３１に、複数個所にてクリップ４２で留めることにより、枠金具３に取り付けられる。
【００３３】
外カバー５は、前面に開口部５１を有する四角形の枠状のカバー本体５０からなっている。カバー本体５０は、前方から、フィルター４の周縁部４１を覆い且つ取付金具２を囲む形態を有している。
【００３４】
そして、外カバー５は、カバー本体５０によって前方からフィルター４の周縁部４１を覆い且つ取付金具２を囲むよう、取付金具２に取り付けられる。このとき、カバー本体５０の上面５０１に形成されている貫通孔５０１１（図４及び図７）には、取付金具２の上枠２１１の凸部２３２３が嵌り込む。また、カバー本体５０の下面５０２の後縁に形成された留め片５０２１が、取付金具２の差込部２４の縦部材２４１の前片２４１２に、孔２４１５（図４及び図８）によって固定される。
【００３５】
外カバー５は、各側面５０３、５０４の後縁の所定の個所に、切欠き可能部５２を有している。切欠き可能部５２は、図１１に示すように、切欠き片５２１を切り欠くことによって切欠き部５２２を形成できるようになっている。また、図４に示すように、取付金具２の枠体２１の各側枠２１３、２１４にも、外カバー５を取り付けた際の切欠き可能部５２に対応する個所に、切欠き部２９が形成されている。換気扇９からの電気コード等は、取付金具２の切欠き部２９及び外カバー５に形成された切欠き部５２２を通して、外カバー５の外に引き出される。
【００３６】
外カバー５の下面５０２には、幅方向に等間隔で４個の貫通孔５０２２が形成されている。
【００３７】
外カバー５の下面５０２の後縁には、幅方向に延びた切欠き部５０２０が形成されている。そして、縦部材２４１は、図８に示すように、下面５０２との間に隙間Ｂ２を保持した状態で、切欠き部５０２０を通り抜けている。
【００３８】
油受け６は、図８及び図１２に示すように、上に開いた容器であり、透光性を有している。また、油受け６は、下部の後部６０が欠けた縦断面形状を有している。
【００３９】
そして、油受け６は、図８に示すように、後縁６１を、取付金具２の縦部材２４１の前片２４１２の後に位置させ、後縁６１の両縁部６１１を、前片２４１２と壁面１００との間に差し込み、前縁６２を外カバー５のカバー本体５０の下面５０２の前縁より前に位置させるよう、下方からカバー本体５０に嵌めて取り付けられる。
【００４０】
上記構成の換気扇用フィルターカバー１によれば、次のような作用効果を発揮できる。
（１）換気扇本体９０の周囲を囲むよう、取付金具２を、換気扇本体９０に取り付け、駆動モータ９０及びファンを前方から覆うよう、枠金具３を、取付金具２に取り付け、枠金具３を前方から覆うよう、フィルター４を、枠金具３に取り付け、カバー本体５０によって前方からフィルター４の周縁部４１を覆い且つ取付金具２を囲むよう、外カバー５を、取付金具２に取り付け、油受け６を、外カバー５の下部に取り付けることによって、業務用換気扇９に、フィルター４を取り付けることができ、また、外カバー５を取付金具２から取り外すことによって、フィルター４を枠金具３から取り外すことができる。したがって、フィルター４の交換作業を容易に行うことができる。
【００４１】
（２）引掛部２３の差込片２３２２を、換気扇本体９０の上部と壁面１００との間の隙間Ｘ１に挿入し、差込部２４の後片２４１１を、換気扇本体９０の下部と壁面１００との間の隙間Ｘ２に挿入することによって、取付金具２を換気扇本体９０に支持させることができ、また、その逆を行うことによって、取付金具２を換気扇本体９０から自由にすることができる。したがって、取付金具２を換気扇９に対して容易に着脱させることができる。
【００４２】
（３）駆動モータ９１、ファン、アーム９２、及び換気扇本体９０等に付着して差込部２４の後片２４１１まで垂れて来た油は、後片２４１１及び前片２４１２に沿って、隙間Ｂ１及び隙間Ｂ２を通って、油受け６の中に、垂れ落ちることとなる。したがって、駆動モータ９１、ファン、アーム９２、及び換気扇本体９０等に付着した油を、外部に垂れ流すことなく、効果的に回収することができる。
【００４３】
（４）フィルター４、駆動モータ９１、ファン、アーム９２、及び換気扇本体９０等に付着して外カバー５の下面５０２上に垂れ落ちた油は、貫通孔５０２２を通って、油受け６の中に、垂れ落ちることとなる。したがって、フィルター４、駆動モータ９１、ファン、アーム９２、及び換気扇本体９０等に付着した油を、外部に垂れ流すことなく、効果的に回収することができる。
【００４４】
しかも、フィルター４に付着した油は、フィルター４に沿って垂れて行き、外カバー５で覆われたフィルター４の周縁部４１に至り、外カバー５内にて垂れ落ちることとなる。したがって、フィルター４に付着した油が外部に垂れ落ちるのを防止できる。
【００４５】
（５）リング枠体３１をバネ部材２２に外側から嵌めるだけで、枠金具３を取付金具２に取り付けることができ、また、バネ部材２２を内向きに押してリング枠体３１をバネ部材２２から外すだけで、枠金具３を取付金具２から取り外すことができる。したがって、枠金具３を取付金具２に対して容易に着脱させることができる。
【００４６】
（６）外カバー５の上面５０１の貫通孔５０１１に、取付金具２の上枠２１１の凸部２３２３を嵌め込むことによって、外カバー５を取付金具２に支持させることができ、また、その逆を行うことによって、外カバー５を取付金具２から自由にすることができる。したがって、外カバー５を取付金具２に対して容易に着脱させることができる。
【００４７】
（７）油受け６の下部の前部６５（図１２）に後方から手を掛けて油受け６を外カバー５に取り付けたり外カバー５から取り外したりすることができるので、油受け６を外カバー５に対して容易に着脱させることができる。
【００４８】
（８）例えば、図１３に示すように、換気扇９がフード９９内の下部に位置し、フード９９の下縁が内側へ折り曲げられているような場合においては、その折り曲げ部９９１を油受け６の下部の欠けた後部６０によって回避することができる場合がある。したがって、換気扇用フィルターカバー１を取り付けることができる換気扇９の存在できる場所の範囲を、拡大することができる。
【００４９】
なお、取付金具２の上枠２１１の引掛部２３は、差込片２３２２を換気扇本体９０の上部と壁面１００との間に差し込むことをしないで、差込片２３２２の孔２３２４により、壁面１００に直接固定してもよい。これによれば、小さな換気扇本体９０に対しても取付金具２を取り付けることができる。
【００５０】
また、バネ部材２２、湾曲枠体３２、貫通孔５０１１、貫通孔５０２２等の、数は、上記の例に限るものではない。
【産業上の利用可能性】
【００５１】
本発明の換気扇用フィルターカバーは、フィルターの交換作業を容易に行うことができ、更には、油を垂れ流すことなく十分に回収することができるので、産業上の利用価値が大である。
【図面の簡単な説明】
【００５２】
【図１】本発明の換気扇用フィルターカバーが取り付けられる業務用換気扇の下方斜視図である。
【図２】図１のII矢視図である。
【図３】業務用換気扇に取り付けられた状態の本発明の換気扇用フィルターカバーの下方斜視図である。
【図４】図３の換気扇用フィルターカバーの分解下方斜視図である。
【図５】図３の換気扇用フィルターカバーからフィルターを除き且つ業務用換気扇を省略した状態を示す下方斜視図である。
【図６】図５のVI矢視図である。
【図７】図５のＡ部の縦断面拡大図である。
【図８】図５のＢ部の縦断面拡大図である。
【図９】取付金具の下方斜視図である。
【図１０】フィルターの周縁を枠金具に取り付けた状態を示す断面部分図である。
【図１１】外カバーの切欠き可能部の変化を示す側面部分図である。
【図１２】油受けの上方斜視図である。
【図１３】フード内の下部に設けられた換気扇に取り付けられた状態の本発明の換気扇用フィルターカバーの斜視図である。
【符号の説明】
【００５３】
１  換気扇用フィルターカバー  ２  取付金具  ２１１  上枠  ２１２  下枠  ２３  引掛部  ２３２３  凸部  ２４  差込部  ３  枠金具  ３１  リング枠体  ３２  湾曲枠体  ４  フィルター  ４１  周縁部  ５  外カバー  ５０１  上面  ５０１１  貫通孔  ５０  カバー本体  ５１  開口部  ６  油受け  ６０  後部  ９  換気扇  ９０  換気扇本体  ９１  駆動モータ  １００  壁面  Ｘ１、Ｘ２  隙間  Ｂ１、Ｂ２  隙間
【図１】
2007278574.tif 000003
【図２】
2007278574.tif 000004
【図３】
2007278574.tif 000005
【図４】
2007278574.tif 000006
【図５】
2007278574.tif 000007
【図６】
2007278574.tif 000008
【図７】
2007278574.tif 000009
【図８】
2007278574.tif 000010
【図９】
2007278574.tif 000011
【図１０】
2007278574.tif 000012
【図１１】
2007278574.tif 000013
【図１２】
2007278574.tif 000014
【図１３】
2007278574.tif 000015